(57)【要約】【課題】特定インターフェースに電子ペーパーまたは電子ブックを接続して複写動作を行った場合、電子ペーパーまたは電子ブックで表示するに最適化された画像データを転送することができる画像複写装置を提供する。【解決手段】ディジタル複写機１００に電子ブック１３０が接続された状態で複写動作した場合、画像データを、画像処理部１１１によって電子ブック１３０に適した画像データフォーマットへ変換して、電子ブック１３０にデータ転送を行う。【選択図】図１
2008252635.tif 000002
【特許請求の範囲】
【請求項１】
電子ペーパーまたは複数の電子ペーパーで構成された電子ブックとの間で、インターフェースを介して画像データを転送する画像複写装置において、
前記インターフェースに電子ペーパーまたは電子ブックが接続されたか否かを判定する接続判定手段と、
スキャナで読み取った画像データを電子ペーパーまたは電子ブックへ転送して表示するのに適したフォーマットに変換処理する画像データ処理手段と、
前記接続判定手段によって電子ペーパーまたは電子ブックが前記インターフェースに接続されていると判定された場合、前記画像データ処理手段によって変換処理された画像データを電子ペーパーまたは電子ブックへ転送する画像データ転送手段と、
を備えることを特徴とする画像複写装置。
【請求項２】
前記画像データ処理手段は画像回転機能を含むことを特徴とする請求項１記載の画像複写装置。
【請求項３】
前記画像データ処理手段は画像変倍機能を含むことを特徴とする請求項１記載の画像複写装置。
【請求項４】
前記画像データ処理手段はガンマ変換機能を含むことを特徴とする請求項１記載の画像複写装置。
【請求項５】
前記接続判定手段によって電子ペーパーまたは電子ブックが前記インターフェースに接続されていると判定された場合、複写動作においてステープル指定及び両面複写指定を含む用紙複写にしか適用できない指定を禁止することを特徴とする請求項１記載の画像複写装置。
【請求項６】
前記インターフェースはコネクタを介した有線接続手段であることを特徴とする請求項１記載の画像複写装置。
【請求項７】
前記インターフェースは無線接続手段であることを特徴とする請求項１記載の画像複写装置。
【請求項８】
電子ペーパーまたは複数の電子ペーパーで構成された電子ブックとの間で、インターフェースを介して画像データを転送する画像複写装置の制御方法において、
前記インターフェースに電子ペーパーまたは電子ブックが接続されたか否かを判定する接続判定ステップと、
スキャナで読み取った画像データを電子ペーパーまたは電子ブックへ転送して表示するのに適したフォーマットに変換処理する画像データ処理ステップと、
前記接続判定ステップによって電子ペーパーまたは電子ブックが前記インターフェースに接続されていると判定された場合、前記画像データ処理ステップによって変換処理された画像データを電子ペーパーまたは電子ブックへ転送する画像データ転送ステップと、
を備えることを特徴とする画像複写装置の制御方法。
【請求項９】
前記画像データ処理ステップは画像回転機能を含むことを特徴とする請求項８記載の画像複写装置の制御方法。
【請求項１０】
前記画像データ処理ステップは画像変倍機能を含むことを特徴とする請求項８記載の画像複写装置の制御方法。
【請求項１１】
前記画像データ処理ステップはガンマ変換機能を含むことを特徴とする請求項８記載の画像複写装置の制御方法。
【請求項１２】
前記接続判定ステップによって電子ペーパーまたは電子ブックが前記インターフェースに接続されていると判定された場合、複写動作においてステープル指定及び両面複写指定を含む用紙複写にしか適用できない指定を禁止することを特徴とする請求項８記載の画像複写装置の制御方法。
【請求項１３】
前記インターフェースはコネクタを介した有線接続手段であることを特徴とする請求項８記載の画像複写装置の制御方法。
【請求項１４】
前記インターフェースは無線接続手段であることを特徴とする請求項８記載の画像複写装置の制御方法。
【請求項１５】
電子ペーパーまたは複数の電子ペーパーで構成された電子ブックとの間で、インターフェースを介して画像データを転送する画像複写装置の制御方法をコンピュータに実行させるプログラムにおいて、前記画像複写装置の制御方法は、
前記インターフェースに電子ペーパーまたは電子ブックが接続されたか否かを判定する接続判定ステップと、
スキャナで読み取った画像データを電子ペーパーまたは電子ブックへ転送して表示するのに適したフォーマットに変換処理する画像データ処理ステップと、
前記接続判定ステップによって電子ペーパーまたは電子ブックが前記インターフェースに接続されていると判定された場合、前記画像データ処理ステップによって変換処理された画像データを電子ペーパーまたは電子ブックへ転送する画像データ転送ステップと、
を備えることを特徴とするプログラム。
【請求項１６】
請求項１５記載のプログラムを格納することを特徴とするコンピュータで読み取り可能な記憶媒体。
【発明の詳細な説明】
【技術分野】
【０００１】
本発明は、シート状の表示部を備える電子ペーパーまたは複数の電子ペーパーで構成された電子ブックと、特定のインターフェースで接続されるディジタル複写機やディジタル複合機等の画像複写装置及びその制御方法、並びにプログラム及び記憶媒体に関する。
【背景技術】
【０００２】
従来、シート状の表示部を備え、表示部自身が画像データを不揮発に記憶する電子ペーパー、及び複数の電子ペーパーで構成された電子ブックに関する技術が特許文献１に提案されている。
【０００３】
更には、電子ペーパーと特定のインターフェースを介して通信可能な画像形成装置が特許文献２に提案されている。
【０００４】
この提案の画像形成装置は、ステープルやパンチ設定があればステープル位置やパンチ位置に相当する描画データを生成し、複写倍率やＮｉｎ１（１枚の用紙にＮ個の画像を複写する集約複写）に基づいて格子の幅を拡大／縮小し描画データに追加する。
【０００５】
最後に画像処理部で、原データと描画データを合成し、外部Ｉ／Ｆ処理部を経由して電子ペーパー上に表示するものである。
【０００６】
その他に、携帯型画像表示装置、一時出力ジョブ選択システム、画像表示方法及びコンピュータプログラムに関し、特に、一時出力ジョブの閲覧に使用される、複数の一時出力ジョブを表示可能な携帯型画像表示装置が特許文献３に提案されている。
【０００７】
この提案の携帯型画像表示装置は、第１の外部装置から複数の一時出力ジョブを受信するジョブ受信手段と、前記受信した複数の一時出力ジョブを保持するジョブ保持部と、前記受信した複数の一時出力ジョブをイメージとして表示する画像表示部とを有する。
【０００８】
また、前記複数の一時出力ジョブのうちから、印刷すべき一時出力ジョブを選択する制御部と、前記制御部により選択された一時出力ジョブを第２の外部装置に送信し、前記第２の外部装置で印刷を行わせるジョブ送信手段とを設ける。そして、一時出力ジョブのデータを電子ペーパーに吸い上げる。
【０００９】
このように電子ペーパーにて確認することにより、本当に必要なジョブのみを確認し、確認したジョブのみを紙に印刷することができるようにするものである。
【特許文献１】特開２００２−２２１９１８号公報
【特許文献２】特開２００５−２３８７０９号公報
【特許文献３】特開２００５−２４２７９２号公報
【発明の開示】
【発明が解決しようとする課題】
【００１０】
しかしながら、特許文献２においては、単純に電子ペーパー上にスキャナで読み取った原稿を複写メージとして取り込みたい場合にも、余計な画像（グリッド、ステープル位置、パンチ位置等）と合成されてしまうという不具合があった。
【００１１】
また、特許文献３は、あくまで紙媒体に印刷する前段階として電子ペーパーに画像表示をさせるものであり、スキャナで読み取った原稿を電子ペーパーへ忠実に複写するという観点に欠けるという不具合があった。
【００１２】
本発明の目的は、特定インターフェースに電子ペーパーまたは電子ブックを接続して複写動作を行った場合、電子ペーパーまたは電子ブックで表示するに最適化された画像データを転送することができる画像複写装置を提供することにある。
【課題を解決するための手段】
【００１３】
上記目的を達成するために、請求項１記載の画像複写装置は、電子ペーパーまたは複数の電子ペーパーで構成された電子ブックとの間で、インターフェースを介して画像データを転送する画像複写装置において、前記インターフェースに電子ペーパーまたは電子ブックが接続されたか否かを判定する接続判定手段と、スキャナで読み取った画像データを電子ペーパーまたは電子ブックへ転送して表示するのに適したフォーマットに変換処理する画像データ処理手段と、前記接続判定手段によって電子ペーパーまたは電子ブックが前記インターフェースに接続されていると判定された場合、前記画像データ処理手段によって変換処理された画像データを電子ペーパーまたは電子ブックへ転送する画像データ転送手段とを備えることを特徴とする。
【００１４】
請求項８記載の画像複写装置の制御方法は、電子ペーパーまたは複数の電子ペーパーで構成された電子ブックとの間で、インターフェースを介して画像データを転送する画像複写装置の制御方法において、前記インターフェースに電子ペーパーまたは電子ブックが接続されたか否かを判定する接続判定ステップと、スキャナで読み取った画像データを電子ペーパーまたは電子ブックへ転送して表示するのに適したフォーマットに変換処理する画像データ処理ステップと、前記接続判定ステップによって電子ペーパーまたは電子ブックが前記インターフェースに接続されていると判定された場合、前記画像データ処理ステップによって変換処理された画像データを電子ペーパーまたは電子ブックへ転送する画像データ転送ステップとを備えることを特徴とする。
【００１５】
請求項１５記載のプログラムは、電子ペーパーまたは複数の電子ペーパーで構成された電子ブックとの間で、インターフェースを介して画像データを転送する画像複写装置の制御方法をコンピュータに実行させるプログラムにおいて、前記画像複写装置の制御方法は、前記インターフェースに電子ペーパーまたは電子ブックが接続されたか否かを判定する接続判定ステップと、スキャナで読み取った画像データを電子ペーパーまたは電子ブックへ転送して表示するのに適したフォーマットに変換処理する画像データ処理ステップと、前記接続判定ステップによって電子ペーパーまたは電子ブックが前記インターフェースに接続されていると判定された場合、前記画像データ処理ステップによって変換処理された画像データを電子ペーパーまたは電子ブックへ転送する画像データ転送ステップとを備えることを特徴とする。
【００１６】
請求項１６記載のコンピュータで読み取り可能な記憶媒体は、請求項１５記載のプログラムを格納することを特徴とする。
【発明の効果】
【００１７】
本発明の画像複写装置は、電子ペーパーまたは複数の電子ペーパーで構成された電子ブックとの間で、インターフェースを介して画像データを転送する。そして、インターフェースに電子ペーパーまたは電子ブックが接続されたか否かを判定する接続判定手段を備える。また、スキャナで読み取った画像データを電子ペーパーまたは電子ブックへ転送して表示するのに適したフォーマットに変換処理する画像データ処理手段を備える。また、接続判定手段によって電子ペーパーまたは電子ブックがインターフェースに接続されていると判定された場合、画像データ処理手段によって変換処理された画像データを電子ペーパーまたは電子ブックへ転送する画像データ転送手段を備える。
【００１８】
この構成により、特定インターフェースに電子ペーパーまたは電子ブックを接続して複写動作を行った場合、電子ペーパーまたは電子ブックで表示するに最適化された画像データを転送することができる。
【発明を実施するための最良の形態】
【００１９】
以下、本発明の実施の形態を図面を参照しながら詳細に説明する。
【００２０】
図１は、本発明の第１の実施の形態に係る画像複写装置としてのディジタル複写機のブロック図である。
【００２１】
図１において、ディジタル複写機１００は、画像入力デバイスであるスキャナ１０１や画像出力デバイスであるプリンタ１０２を有する。
【００２２】
通常の複写動作では、スキャナ１０１で読み込んだ原稿の画像データを、プリンタ１０２に適した画像データフォーマットに変換処理し、プリンタ１０２に画像データを転送し用紙への印刷（複写）を行う。
【００２３】
ＣＰＵ１０３は、システム全体を制御するコントローラである。ＲＡＭ１０４は、ＣＰＵ１０３が動作するためのシステムワークメモリであり、画像データを一時記憶するための画像メモリでもある。
【００２４】
ＲＯＭ１０５は、ブートＲＯＭであり、システムのブートプログラムが格納されている。ＨＤＤ１０６は、ハードディスクドライブで、システムソフトウェア（ｂｏｏｔａｂｌｅ）、画像データ等を格納する。システムソフトウェアは、複写機能を実現するためのプログラムであり、ＲＡＭ１０４上に展開されて動作する。
【００２５】
プリンタＩ／Ｆ１０７は、プリンタ１０２と接続し、プリンタ１０２のＣＰＵとそれぞれ通信を行う。また、画像データの同期系／非同期系の変換を行う。
【００２６】
スキャナＩ／Ｆ１０８は、スキャナ１０１と接続し、スキャナ１０１のＣＰＵとそれぞれ通信を行う。また、画像データの同期系／非同期系の変換を行う。
【００２７】
操作部Ｉ／Ｆ１０９は、操作ユニット（ＵＩ）１１０とのインターフェース部で、操作ユニット１１０に表示する画像データを操作ユニット１１０に対して出力する。また、操作ユニット１１０から本システム使用者が入力した情報を、ＣＰＵ１０３に伝える役割をする。
【００２８】
画像処理部１１１は、複写動作においてスキャナ１０１で読み込んだ原稿画像データを、プリンタ１０２や電子ブック１３０に適した画像データフォーマットに変換処理する。
【００２９】
電子ブック１３０は、シート状の表示部を備える電子ペーパーを複数束ねてブック状にしたデバイスで、表示部が不揮発性で一度画像データを書き込むと外部から電源を供給しなくとも画像を保持するという特徴があり、用紙の代替手段として利用できる。
【００３０】
電子ブックＩ／Ｆ１１２は、電子ブック１３０とのインターフェース部で、画像処理部１１１で処理された画像データを電子ブッ１ク３０へ出力転送する。電子ブック１３０は、ディジタル複写機１００と、電子ブック専用コネクタ１４０を介して接続することが可能である。
【００３１】
ＣＰＵ１０３は、システムバス１１３により他のユニットと接続されている。また、本ディジタル複写機１００は図示しない電源部を有し、システムに必要な電源を供給している。
【００３２】
図２は、図１における画像処理部のブロック図である。
【００３３】
図２において、ガンマ変換部２０１は、入力されるビットマップ画像データを出力デバイス（プリンタ１０２や電子ブック１３０）に適したガンマに変換処理するブロックである。
【００３４】
画像回転部２０２は、入力されるビットマップ画像データを９０°単位で自由に回転処理を行うブロックである。
【００３５】
画像変倍部２０３は、入力されるビットマップ画像データを任意の倍率で変倍処理するブロックである。
【００３６】
図３は、図１のディジタル複写機と電子ブックをインターフェースケーブルによって接続して複写動作を行う様子を表す図である。
【００３７】
電子ブック１３０をディジタル複写機１００の電子ブック専用コネクタ１４０によって有線接続して、原稿（図中「Ａ」と示されている）を複写すると、電子ブック１３０に適したフォーマットに画像データを変換処理して電子ブック１３０に表示される。
【００３８】
図４は、図１における電子ブックの構成図である。
【００３９】
図４において、ビットマップ表示部１３１は、バッファメモリに保存された画像データを逐次表示する。ビットマップ表示部１３１は、長形縦向きでＡ４用紙と同じく１：√２の比をとる。表示部自体が不揮発性であり、書き換えをしない限り同じ画像を表示し続ける。
【００４０】
有線Ｉ／Ｆ１３２は、ディジタル複写機１００の電子ブック専用コネクタ１４０とインターフェースケーブルによって接続される。
【００４１】
バッファメモリ１３３は、有線Ｉ／Ｆ１３２を経由してディジタル複写機１００から転送されて来る画像データを、電子ブック１３０に適したデータ形式で一時保存する。
【００４２】
図５は、図１のディジタル複写機によって実行される複写処理の手順を示すフローチャートである。
【００４３】
本処理は、図１におけるＣＰＵ１０３によって実行される。
【００４４】
図５において、まず、ステップＳ５０１で、複写動作が指示されたか否かを判定する。複写動作指示がされたら次のステップを実行し、複写動作指示がされなければそのまま判定を続ける。
【００４５】
ステップＳ５０２で、ディジタル複写機１００のスキャナ１０１は原稿を読み込む。読み込んだ原稿はスキャナＩ／Ｆ１０８でビットマップ画像データに変換され、ＨＤＤ１０６に一時蓄積される。
【００４６】
ステップＳ５０３で、電子ブック専用コネクタ１４０にインターフェースケーブルを介して電子ブック１３０が接続されているか否かを判定する（接続判定手段）。接続されていればステップＳ５０４に、接続されていなければステップＳ５０９に処理を進める。
【００４７】
以後電子部ブック１３０が接続されている場合の説明を行う。
【００４８】
ディジタル複写機１００は、電子ブック１３０からはビットマップ表示部１３１のガンマ情報や画面サイズ等のデータを予め取得するように構成されている。
【００４９】
ステップＳ５０４で、ＨＤＤ１０６に一時保存されている画像データを読み出して、画像処理部１１１のガンマ変換部２０１によって、予め取得済みである電子ブック１３０のガンマに適したガンマ変換を行う（画像データ処理手段）。つまり、画像データ処理手段は、ガンマ変換機能を有する。
【００５０】
ステップＳ５０５で、読み込んだ原稿が横置きだったのか縦置きだったのかを判定する。横置きだったら、ステップＳ５０６で、画像データを画像処理部１１１の画像回転部２０２によって９０°回転して縦向きの画像に変換する（画像データ処理手段）。縦置きだったら、回転処理をしない。つまり、画像データ処理手段は、画像回転機能を有する。
【００５１】
ステップＳ５０７で、画像データを、画像処理部１１１の画像変倍部２０３によって、予め取得済みである電子ブック１３０のビットマップ表示部１３１のビットマップサイズへ変倍処理する（画像データ処理手段）。つまり、画像データ処理手段は、画像変倍機能を有する。
【００５２】
ステップＳ５０８で、画像処理されたビットマップ画像データを電子ブックＩ／Ｆ１１２を介して電子ブック１３０に適したデータに変換して出力転送する（画像データ転送手段）。そして、本処理を終了する。
【００５３】
以後、電子部ブック１３０が接続されていない場合の説明を行う。
【００５４】
ステップＳ５０９で、ＨＤＤ１０６に一時保存されている画像データを読み出して、画像処理部１１１のガンマ変換部２０１によってプリンタ１０２に適したガンマ変換を行う。
【００５５】
ステップＳ５１０で、一旦画像データをＪＢＩＧ等に圧縮エンコードしてＨＤＤ１０６に蓄積する。
【００５６】
ステップＳ５１１で、ＨＤＤ１０６からエンコードされた画像データを読み出してビットマップ画像データにデコードする。
【００５７】
ステップＳ５１２で、デコードされたビットマップ画像データをプリンタ１０２で印刷する。そして、本処理を終了する。
【００５８】
尚、本実施の形態のディジタル複写機１００では、オプション機器の設置によりステープル機能や両面複写機能等特別な機能を実施できる。
【００５９】
ステープル機能は複写出力用紙の部ごとにステープルを打ち込んで閉じる機能で、両面複写機能は複写出力用紙の両面に複写する機能である。
【００６０】
ユーザーがこれらのオプション機能を実施したいときは複写動作に先立って操作ユニット１１０から実施したい機能を選択指示する。
【００６１】
但し、ディジタル複写機１００に電子ブック１３０が接続されている場合の複写動作では、上述のオプション機能は無視（禁止）するように制御される。
【００６２】
つまり、接続判定手段によって電子ペーパーまたは電子ブックがインターフェースに接続されていると判定された場合、複写動作においてステープル指定及び両面複写指定を含む用紙複写にしか適用できない指定を禁止する。
【００６３】
以上の説明のように本実施の形態では、
（１）電子ブック１３０に最適化された画像データを生成することによって、電子ブック１３０を印刷媒体とした複写動作を適切に行うことができる。
（２）電子ブック１３０に転送する画像データをビットマップ形式にすることによって、電子ブック１３０側の構成が簡潔になる。
（３）複写用紙の消費を減らすことができる。
【００６４】
等の効果がある。
【００６５】
図６は、本発明の第２の実施の形態に係る画像複写装置としてのディジタル複写機のブロック図である。
【００６６】
図１に示す第１の実施の形態と同一符号のブロックは、第１の実施の形態と同じであるので説明を省略する。
【００６７】
電子ブックＩ／Ｆ１１２は、電子ブック１３０とのインターフェース部で、画像処理部１１１で処理された画像データを電子ブック１３０へ出力する。電子ブック１３０は、無線Ｉ／Ｆ１４１を介してディジタル複写機１００と接続することが可能である。
【００６８】
図７は、図６における電子ブックの構成図である。
【００６９】
図７において、ビットマップ表示部１３１は、後述するデコーダ１３４が伸長した画像データを逐次表示する。ビットマップ表示部１３１は、長形縦向きでＡ４用紙と同じく１：√２の比をとる。表示部自体が不揮発性であり、書き換えをしない限り同じ画像を表示し続ける。
【００７０】
バッファメモリ１３３は、有線Ｉ／Ｆ１３２（図４）を経由してディジタル複写機１００から転送されて来る画像データを、電子ブック１３０に適したデータ形式で一時保存する。
【００７１】
デコーダ１３４は、ディジタル複写機１００からバッファメモリ１３３に転送された、圧縮エンコードされた画像データをビットマップ画像に伸長する。
【００７２】
無線Ｉ／Ｆ１３５は、ディジタル複写機１００の無線Ｉ／Ｆ１４１と無線によって論理的に接続される。
【００７３】
図８は、図６のディジタル複写機によって実行される複写処理の手順を示すフローチャートである。
【００７４】
本処理は、図６におけるＣＰＵ１０３によって実行される。
図８において、まず、ステップＳ８０１で、複写動作が指示されたか否かを判定する。複写動作指示がされたら次のステップを実行し、複写動作指示がされなければそのまま判定を続ける。
【００７５】
ステップＳ８０２で、ディジタル複写機１００のスキャナ１０１は原稿を読み込む。読み込んだ原稿はスキャナＩ／Ｆ１０８でビットマップ画像データに変換され、ＨＤＤ１０６に一時蓄積される。
【００７６】
ステップＳ８０３で、無線Ｉ／Ｆ１４１を介して電子ブック３０が接続されているか否かを判定する。接続されていればステップＳ８０４に、接続されていなければステップＳ８１０に処理を進める。
【００７７】
以後、電子部ブック１３０が無線接続されている場合の説明を行う。
【００７８】
電子ブック１３０からはビットマップ表示部１３１のガンマ情報や画面サイズ等のデータを予め取得するように、ディジタル複写機１００は構成されている。
【００７９】
ステップＳ８０４で、ＨＤＤ１０６に一時保存されている画像データを読み出して、画像処理部１１１のガンマ変換部２０１によって、予め取得済みである電子ブック１３０のガンマに適したガンマ変換を行う（画像データ処理手段）。つまり、画像データ処理手段は、ガンマ変換機能を有する。
【００８０】
ステップＳ８０５で、読み込んだ原稿が横置きだったのか縦置きだったのかを判定する。横置きだったら、ステップＳ８０６で、画像データを、画像処理部１１１の画像回転部２０２によって９０°回転して縦向きの画像に変換する。縦置きだったら、回転処理をしない。
【００８１】
ステップＳ８０７で、画像データを、画像処理部１１１の画像変倍部２０３３によって、予め取得済みである電子ブック１３０のビットマップ表示部１３１のビットマップサイズへ変倍処理する。
【００８２】
ステップＳ８０８で、画像データをＪＢＩＧ等に圧縮エンコードしてＲＡＭ１０４に一時保存する。
【００８３】
ステップＳ８０９で、画像処理され、更に圧縮エンコードされた画像データを、電子ブックＩ／Ｆ１１２を介して電子ブック１３０に適したデータに変換して無線出力転送する。そして、本処理を終了する。
【００８４】
以後、電子部ブック１３０が接続されていない場合の説明を行う。
【００８５】
ステップＳ８１０で、ＨＤＤ１０６に一時保存されている画像データを読み出して、画像処理部１１１のガンマ変換部２０１によってプリンタ１０２に適したガンマ変換を行う。
【００８６】
ステップＳ８１１で、一旦画像データをＪＢＩＧ等に圧縮エンコードしてＨＤＤ１０６に蓄積する。
【００８７】
ステップＳ８１２で、ＨＤＤ１０６からエンコードされた画像データを読み出してビットマップ画像データにデコードする。
【００８８】
ステップＳ８１３で、デコードされたビットマップ画像データをプリンタ１０２で印刷する。そして、本処理を終了する。
【００８９】
以上の説明のように本実施の形態では、
（１）電子ブック１３０に最適化された画像データを生成することによって、電子ブック１３０を印刷媒体とした複写動作を適切に行うことができる。
（２）電子ブック１３０に転送する画像データを圧縮エンコードすることによって、データ転送時間を短くすることができる。
（３）複写用紙の消費を減らすことができる。
【００９０】
等の効果がある。
【００９１】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【００９２】
この場合、記憶媒体から読み出されたプログラムコード自体が前述した実施の形態の機能を実現することになり、そのプログラムコード及び該プログラムコードを記憶した記憶媒体は本発明を構成することになる。
【００９３】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００９４】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００９５】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００９６】
【図１】本発明の第１の実施の形態に係る画像複写装置としてのディジタル複写機のブロック図である。
【図２】図１における画像処理部のブロック図である。
【図３】図１のディジタル複写機と電子ブックをインターフェースケーブルによって接続して複写動作を行う様子を表す図である。
【図４】図１における電子ブックの構成図である。
【図５】図１のディジタル複写機によって実行される複写処理の手順を示すフローチャートである。
【図６】本発明の第２の実施の形態に係る画像複写装置としてのディジタル複写機のブロック図である。
【図７】図６における電子ブックの構成図である。
【図８】図６のディジタル複写機によって実行される複写処理の手順を示すフローチャートである。
【符号の説明】
【００９７】
１００  ディジタル複写機
１０１  スキャナ
１０２  プリンタ
１０３  ＣＰＵ
１１１  画像処理部
１１２  電子ブックＩ／Ｆ
１３０  電子ブック
【図１】
2008252635.tif 000003
【図２】
2008252635.tif 000004
【図３】
2008252635.tif 000005
【図４】
2008252635.tif 000006
【図５】
2008252635.tif 000007
【図６】
2008252635.tif 000008
【図７】
2008252635.tif 000009
【図８】
2008252635.tif 000010